(57)【要約】【課題】苗の定植作業の省力化と植栽用マット形成期間の短縮を可能にする。【解決手段】本発明は、トレイ４０の底に通根性を有する厚さの厚いシートからなる下層５０を形成し灌水する工程、及び下層５０上にクマツヅラ科イワダレソウ属植物の苗と培土との混合物からなる上層６０を形成する工程を含むことを特徴とする。【選択図】図３
2006333708.tif 000002
【特許請求の範囲】
【請求項１】
トレイの底に通根性を有する厚さの厚いシートからなる下層を形成し灌水する工程、及び前記下層上にクマツヅラ科イワダレソウ属植物の苗と培土との混合物からなる上層を形成する工程を含むことを特徴とする植栽用マットの形成方法。
【請求項２】
トレイの底に培土からなる下層を形成する工程、前記下層上に通根性を有する厚さの薄いシートからなる中間層を形成し灌水する工程、及び前記中間層上にクマツヅラ科イワダレソウ属植物の苗と培土との混合物からなる上層を形成する工程を含むことを特徴とする植栽用マットの形成方法。
【請求項３】
前記シートが天然繊維、生分解性プラスチック繊維又はそれらの繊維を組み合わせたものからなることを特徴とする請求項１又は２に記載の植栽用マットの形成方法。
【請求項４】
前記苗が、所定高さに設置された苗床から垂れ下がる茎を所定長さに切断して採取されたものであることを特徴とする請求項１から３のいずれか１に記載の植栽用マットの形成方法。
【発明の詳細な説明】
【技術分野】
【０００１】
本発明は、植栽用マットの形成方法に関するものである。より詳細には、クマツヅラ科イワダレソウ属植物の植栽に好適なマットの形成方法に関するものである。
【背景技術】
【０００２】
クマツヅラ科イワダレソウ属植物としては、イワダレソウ（Ｌｉｐｐｉａ  ｎｏｄｉｆｌｏｒａ）、ヒメイワダレソウ（Ｌｉｐｐｉａ  ｃａｎｅｓｃｅｎｓ）及びそれらの改良種が知られている。
【０００３】
かかる植物の植栽用マットの形成方法としては、ネット上に積層された培土の上に苗（茎を切断したもの）を蒔き、その上を培土により覆土する方法が知られている（例えば、実用新案登録第３１０３２８９号公報参照）。
【０００４】
しかし、従来の方法では、培土を２回に分けて積層し、さらにその間に苗を蒔く工程を要するため、マットを形成するための苗の定植に多くの時間と労力を必要とする。また、苗とネットの間に培土による層が介在するため、根がネットに根付くまでに多くの時間を要する。さらに、イワダレソウ属植物は、地下茎を持たない植物であるため、苗の上を覆土することにより、苗の上に培土による層が形成されると、発芽するまでに長時間を要するという問題がある。
【０００５】
【特許文献１】実用新案登録第３１０３２８９号公報
【発明の開示】
【発明が解決しようとする課題】
【０００６】
本発明は、植栽用マットの形成に要する期間の短縮と、植栽用マットを形成するための苗の定植に要する作業の省力化を図ることができる植栽用マットの形成方法を提供することを課題とするものである。
【課題を解決するための手段】
【０００７】
本発明は、上記課題を解決するため、以下の方法を提供する。
（１）トレイの底に通根性を有する厚さの厚いシートからなる下層を形成し灌水する工程、及び前記下層上にクマツヅラ科イワダレソウ属植物の苗と培土との混合物からなる上層を形成する工程を含むことを特徴とする植栽用マットの形成方法。
（２）トレイの底に培土からなる下層を形成する工程、前記下層上に通根性を有する厚さの薄いシートからなる中間層を形成し灌水する工程、及び前記中間層上にクマツヅラ科イワダレソウ属植物の苗と培土との混合物からなる上層を形成する工程を含むことを特徴とする植栽用マットの形成方法。
【発明の効果】
【０００８】
前記（１）記載の本発明によれば、イワダレソウ属植物の苗と培土とを混ぜ合わせた混合物をシートからなる下層上に積層するため、１回の積層作業で培土と苗の両方を積層することができる。また、苗とシートとの間に培土のみによる層が介在せず、混合物に含まれる苗の中には、シートに接しているもの、あるいはシートに近い位置に存するものが多分にあることから、苗から発根した根を短時間でシートに根付かせることが可能となる。また、苗の上を覆土することがなく、混合物に含まれる苗の中には、露出しているもの、あるいは露出に近い状態で存するものも多分にあることから、短時間での発芽が可能となる。従って、植栽用マットの形成に要する期間を短縮することができる。
前記（２）記載の本発明によれば、イワダレソウ属植物の苗と培土とを混ぜ合わせた混合物をシートからなる中間層上に積層するため、苗を蒔く工程と、苗の上に培土を積層する工程を要する従来の方法よりも苗の定植作業を効率的に行うことができる。また、苗とシートとの間に培土のみによる層が介在せず、混合物に含まれる苗の中には、シートに接しているもの、あるいはシートに近い位置に存するものが多分にあることから、苗から発根した根を短時間で下層の培土に根付かせることが可能となる。また、苗の上を覆土することがなく、混合物に含まれる苗の中には、露出しているもの、あるいは露出に近い状態で存するものも多分にあることから、短時間での発芽が可能となる。従って、植栽用マットの形成に要する期間を短縮することができる。
【発明を実施するための最良の形態】
【０００９】
本発明は、通根性を有しかつ所定の厚さを有するシート上に、クマツヅラ科イワダレソウ属植物の苗と培土との混合物を積層することにより、植栽用マットの形成に要する期間の短縮と、植栽用マットを形成するための苗の定植に要する作業の省力化を実現した。
【００１０】
ここで、クマツヅラ科イワダレソウ属植物としては、イワダレソウ（Ｌｉｐｐｉａ  ｎｏｄｉｆｌｏｒａ）、ヒメイワダレソウ（Ｌｉｐｐｉａ  ｃａｎｅｓｃｅｎｓ）及びそれらの改良種、例えば、イワダレソウの改良種である、品種名「Ｓヒトシ」（品種登録第１２０４１号、２００４年３月１５日登録）などが含まれる。
【００１１】
イワダレソウ属植物は、節から発芽・発根するため、その苗は、節を含むように茎を所定長さに切断したものである。
【００１２】
苗の採取方法としては、イワダレソウ属植物の茎は、地上を這うように伸びる性質を有することから、このように水平方向に延びる茎を切断して採取する方法が一般的である。本発明においても、かかる採取方法により採取された苗を除外するものではないが、かかる採取方法には、以下の問題点がある。
【００１３】
すなわち、茎を伸長させるために大きな栽培面積を必要とすることとなる。また、茎が伸長する過程で、各節から発根してしまうため、苗を採取する際に傷つきやすくなり、また、採取される苗も大きくなるという問題がある。さらに、茎は曲がりながら生長するため、真っ直ぐな苗を採取することが困難である。
【００１４】
そこで、苗の採取方法としては、所定高さに設置された苗床から垂れ下がる茎を所定長さに切断して採取する方法が好ましい。この方法では、図１に示したように、苗床２０を所定高さに設置し、その苗床２０にイワダレソウ属植物１０の苗を植え付ける。苗床２０に植え付けられた苗から伸びる茎３０は、苗床２０から溢れ出て鉛直方向に生長する。そして、採苗時には、苗床２０から垂れ下がる鉛直方向に伸びる茎３０を、節を含むように所定長さに切断し、苗を採取する。
【００１５】
かかる採取方法によれば、茎３０が鉛直方向に伸長するため、茎３０を伸長させるために大きな栽培面積を必要としないという利点がある。また、苗床２０から垂れ下がる茎３０は、空中に存して、各節からの発根が非常に少ないため、発根がない小さな良質な苗を採取することが可能となる。また、鉛直方向に伸びる茎３０は、水平方向に伸びる茎と比較して、真っ直ぐに伸長するため、曲がりの少ない真っ直ぐな苗を採取することが可能となる。さらに、茎３０の切断時において節が見やすいため、切断作業が容易であり、また、茎３０を切断して得られる苗も、切断後に落下するため、苗の回収作業も容易である。
【００１６】
なお、苗床２０は、例えば、図２（ａ）に示したように、階段状に複数設置したり、あるいは図２（ｂ）に示したように、階層状に複数設置したりすることができる。このように苗床２０を設置すれば、より小さな面積で多量の栽培が可能となり、より多くの苗を採取することが可能となる。
【００１７】
シートとしては、通根性を有するもの、すなわち、苗から発根した根がシート表面からその内部に入り込むことができるもの、又は苗から発根した根がシートを貫通することができるものが用いられる。
【００１８】
本発明で採用される「厚さの厚いシート」とは、苗から発根した根がシートに絡み付くように根付くのに必要十分な厚みを有するものをいう。また、「厚さの薄いシート」とは、苗から発根した根がシートを貫通することができる厚みを有するものをいう。そして、いずれのシートも、天然繊維、生分解性プラスチック繊維又はそれらの繊維を組み合わせたものからなることが好ましい。このような繊維材料からなるシートによれば、シートが経年変化により土壌化するため、自然環境を維持する上で有利である。
【００１９】
シートは、所定の形状に裁断されたものが用いられる。特に厚さの薄いシートは、本発明に係る方法により形成される植栽用マットに保形性を付与する役割を果たしている。
【００２０】
以下、本発明の実施例を説明するが、本発明は、以下に述べる実施例に何等限定されるものではない。
【実施例１】
【００２１】
本実施例では、まず、トレイ４０の底に通根性を有する厚さの厚いシートからなる下層５０を形成し灌水する（図３（ａ）参照）。次に、下層５０上にクマツヅラ科イワダレソウ属植物の苗と培土との混合物からなる上層６０を形成する（図３（ｂ）参照）。
【００２２】
本実施例によれば、上記した２つの工程により、植栽用マットを形成するための苗の定植作業が終了する。そして、その後は、適宜灌水を行う（図３（ｃ）参照）。
【００２３】
上記のように、本実施例によれば、イワダレソウ属植物の苗と培土とを混ぜ合わせた混合物をシートからなる下層４０上に積層するため、１回の積層作業で培土と苗の両方を積層することができる。従って、苗の定植作業を従来の方法よりも少ない時間と労力で行うことができる。
【００２４】
また、苗を含む混合物（上層６０）とシート（下層５０）との間に培土のみによる層が介在せず、混合物に含まれる苗の中には、シートに接しているもの、あるいはシートに近い位置に存するものが多分にあることから、苗から発根した根を短時間でシートに根付かせることができる。さらにこの点について言及すれば、本実施例によれば、苗から発根する根を直接シートに根付かせる構成であるため、培土による層を経てネットに根付かせる従来の方法よりも短時間でシートに根を根付かせることができる。
【００２５】
また、従来の方法のように苗上を覆土する工程がなく、混合物（上層６０）に含まれる苗の中には、露出しているもの、あるいは露出に近い状態で存するものも多分にあることから、従来の方法よりも短時間で発芽させることができる。従って、植栽用マットの形成に要する期間を従来の方法よりも短縮することができる。
【実施例２】
【００２６】
本実施例では、まず、トレイ４０の底に培土からなる下層７０を形成する（図４（ａ）参照）。次に、下層７０上に通根性を有する厚さの薄いシートからなる中間層８０を形成し灌水する（図４（ｂ）参照）。次に、中間層８０上にクマツヅラ科イワダレソウ属植物の苗と培土との混合物からなる上層９０を形成する（図４（ｃ）参照）。
【００２７】
本実施例によれば、上記した３つの工程により、植栽用マットを形成するための苗の定植作業が終了する。そして、その後は、適宜灌水を行う（図４（ｄ）参照）。
【００２８】
上記のように、本実施例によれば、イワダレソウ属植物の苗と培土とを混ぜ合わせた混合物をシートからなる中間層８０上に積層するため、苗を蒔く工程と、苗の上に培土を積層する工程を要する従来の方法よりも苗の定植作業を効率的に行うことができる。
【００２９】
また、苗を含む混合物（上層９０）とシート（中間層８０）との間に培土のみによる層が介在せず、混合物に含まれる苗の中には、シートに接しているもの、あるいはシートに近い位置に存するものが多分にあることから、苗から発根した根を短時間で下層の培土に根付かせることが可能となる。さらにこの点について言及すれば、本実施例によれば、苗から発根した根がシート（中間層８０）を貫通して培土（下層７０）に到達する構成であるため、その根が培土に十分に根付く前の段階でも、シートにより根が支持され、定植された苗の脱落を防止することができる。
【００３０】
また、従来の方法のように苗上を覆土する工程がなく、混合物（上層９０）に含まれる苗の中には、露出しているもの、あるいは露出に近い状態で存するものも多分にあることから、従来の方法よりも短時間で発芽させることができる。従って、植栽用マットの形成に要する期間を短縮することができる。
【産業上の利用可能性】
【００３１】
本発明によれば、イワダレソウ属植物の植栽に用いられるマットを短期間で供給することが可能となる。
【図面の簡単な説明】
【００３２】
【図１】採苗に好適な栽培装置の一例を示す概略図である。
【図２】採苗に好適な栽培装置の他の例を示す概略図である。
【図３】本発明の一実施例を示す工程図である。
【図４】本発明の他の実施例を示す工程図である。
【符号の説明】
【００３３】
１０  イワダレソウ属植物
２０  苗床
３０  茎
４０  トレイ
５０  シートからなる下層
６０  苗と培土との混合物からなる上層
７０  培土からなる下層
８０  シートからなる中間層
９０  苗と培土との混合物からなる上層
【図１】
2006333708.tif 000003
【図２】
2006333708.tif 000004
【図３】
2006333708.tif 000005
【図４】
2006333708.tif 000006